(57)【要約】【課題】従来よりも少ない部分点数で揮散量の調整が可能な揮散用容器を提供する。【解決手段】揮散用容器１は、上部に開口部１５ａを有する口部１５を備えて有底筒状であり、開口部１５ａ内を通って底部側へ延びて内部に収容される揮散液を吸い上げ可能な吸い上げ芯２０を有する容器本体部１０と、容器本体部１０の上部に装着され、吸い上げ芯２０によって吸い上げられた揮散液を揮散させる揮散板６０を収容するキャップ本体部４０と、を有する。キャップ本体部４０は、有頂筒状であって、容器本体部１０に装着される筒状の周壁部４１と、周壁部１０の上端部を覆う天壁部４５と、を有して一体に成形される。天壁部４５には、揮散窓４９が形成される。揮散窓４９には、揮散窓４９を開閉可能な開閉蓋部４６が設けられる。開閉蓋部４６は、開閉蓋部４６の開状態を維持するストッパー部５６を有する。【選択図】  図４
2020179904.tif 000002
【特許請求の範囲】
【請求項１】
上部に開口部を有する口部を備えて有底筒状であり、前記開口部内を通って底部側へ延びて内部に収容される揮散液を吸い上げ可能な吸い上げ芯を有する容器本体部と、
前記容器本体部の上部に装着され、前記吸い上げ芯によって吸い上げられた前記揮散液を揮散させる揮散板を収容するキャップ本体部と、を有し、
前記キャップ本体部は、有頂筒状であって、前記容器本体部に装着される筒状の周壁部と、前記周壁部の上端部を覆う天壁部と、を有して一体に成形され、
前記天壁部には、揮散窓が形成され、
前記揮散窓には、前記揮散窓を開閉可能な開閉蓋部が設けられ、
前記開閉蓋部は、前記開閉蓋部の開状態を維持するストッパー部を有する
ことを特徴とする揮散用容器。
【請求項２】
前記開閉蓋部は、径方向一方側にヒンジ部を介して前記天壁部に繋がって、前記ヒンジ部を支点として径方向他方側が上下方向に回動可能であり、
前記ヒンジ部は、前記開閉蓋部及び前記天壁部と一体的に繋がり、
前記ストッパー部は、
前記開閉蓋部の下面から下方へ延びるとともに、側面視において径方向他方側が円弧状の扇形に形成された側板部と、
前記側板部の円弧状に形成された外縁に形成されて周方向に間隔を有して配置される係止段部と、を有し、
前記側板部の前記外縁が対向する前記天壁部には、前記係止段部を係止可能な係合突起部が設けられる
ことを特徴とする請求項１に記載の揮散用容器。
【請求項３】
前記揮散窓が形成された前記天壁部には、前記側板部の前記外縁が前記揮散窓の内面に対向する位置よりも前記側板部の厚さ方向両外側の位置から径方向他方側へ延びる一対のスリットが設けられ、
一対の前記スリット間の前記天壁部が前記係合突起部となる
ことを特徴とする請求項２に記載の揮散用容器。
【請求項４】
前記開閉蓋部が前記揮散窓を閉じる閉状態において、前記開閉蓋部の径方向他方側端部と前記係合突起部の径方向一方側端部との間に隙間が形成される
ことを特徴とする請求項２又は３に記載の揮散用容器。
【発明の詳細な説明】
【技術分野】
【０００１】
本発明は、揮散用容器に関する。
【背景技術】
【０００２】
従来から、芳香剤、消臭剤等の揮発性成分を含んだ揮散液が収容可能な揮散用容器がある。この揮散用容器は、例えば特許文献１に記載されているように、容器体口頸部の上端開口を閉塞する頂板部に穿設した吸上げ芯貫通用の窓孔に上端部を嵌着し、下端部を容器体内に垂下させた吸上げ芯と、吸上げ芯からの液を揮散窓より揮散する吸上げ芯上の揮散板とを備えて構成される。揮散用容器は、キャップ本体に対して揮散窓が形成された蓋体を上方へスライドさせて揮散窓の開口面積を可変することにより、揮散量の調整が可能である。
【先行技術文献】
【特許文献】
【０００３】
【特許文献１】特開２０１０−１９５４４５号公報
【発明の概要】
【発明が解決しようとする課題】
【０００４】
特許文献１に記載の揮散用容器において揮散量を調整するには、キャップ本体と揮散窓を備えた蓋体とを別々に形成する必要があった。しかしながら、近年においては部品点数の削減によるコスト軽減の促進が求められており、そのためには従来よりも更に部分点数の少ない構成で揮散量の調整を可能とする揮散用容器の開発が求められている。
【０００５】
本発明は、上記した従来技術における問題点を解消すべく、従来よりも少ない部分点数で揮散量の調整を可能とする揮散用容器を提供することを課題とする。
【課題を解決するための手段】
【０００６】
上記課題を解決するための手段のうち、本発明の主たる手段は、上部に開口部を有する口部を備えて有底筒状であり、前記開口部内を通って底部側へ延びて内部に収容される揮散液を吸い上げ可能な吸い上げ芯を有する容器本体部と、前記容器本体部の上部に装着され、前記吸い上げ芯によって吸い上げられた前記揮散液を揮散させる揮散板を収容するキャップ本体部と、を有し、前記キャップ本体部は、有頂筒状であって、前記容器本体部に装着される筒状の周壁部と、前記周壁部の上端部を覆う天壁部と、を有して一体に成形され、前記天壁部には、揮散窓が形成され、前記揮散窓には、前記揮散窓を開閉可能な開閉蓋部が設けられ、前記開閉蓋部は、前記開閉蓋部の開状態を維持するストッパー部を有することを特徴とする揮散用容器、と云うものである。
【０００７】
キャップ本体部は、有頂筒状であって、容器本体部に装着される筒状の周壁部と、周壁部の上端部を覆う天壁部と、を有して一体に成形される。このため、キャップ本体部は、周壁部と天壁部とが別部品で構成される場合と比較して、部品点数を少なくすることができる。
【０００８】
また、前記開閉蓋部は、径方向一方側にヒンジ部を介して前記天壁部に繋がって、前記ヒンジ部を支点として径方向他方側が上下方向に回動可能であり、前記ヒンジ部は、前記開閉蓋部及び前記天壁部と一体的に繋がり、前記ストッパー部は、前記開閉蓋部の下面から下方へ延びるとともに、側面視において径方向他方側が円弧状の扇形に形成された側板部と、前記側板部の円弧状に形成された外縁に形成されて周方向に間隔を有して配置される係止段部と、を有し、前記側板部の前記外縁が対向する前記天壁部には、前記係止段部を係止可能な係合突起部が設けられてもよい。
【０００９】
この場合、開閉蓋部によって揮散窓が閉じられた閉状態から開閉蓋部を上方へ回動させると、開閉蓋部がヒンジ部を支点として上方へ回動して、揮散窓を開口させる。ここで、係止段部が係合突起部に係止されると、開閉蓋部を開状態に維持することができる。また、係止段部は、外縁に周方向に間隔を有して配置されているので、係止段部が係合突起部に係止されると、揮散窓の開口面積を変えた状態で開閉蓋部を開状態に維持することができる。
【００１０】
また、前記揮散窓が形成された前記天壁部には、前記側板部の前記外縁が前記揮散窓の前記内面に対向する位置よりも前記側板部の厚さ方向両外側の位置から径方向他方側へ延びる一対のスリットが設けられ、一対の前記スリット間の前記天壁部が前記係合突起部となってもよい。
【００１１】
この場合、一対のスリット間の天壁部が係合突起部となるので、係合突起部は、径方向他方側の端部が支持されて径方向一方側へ延びる片持ち支持の状態になる。このため、係合突起部に上下方向の外力が作用した場合には、係合突起部を変形させることが可能である。
【００１２】
また、前記開閉蓋部が前記揮散窓を閉じる閉状態において、前記開閉蓋部の径方向他方側端部と前記係合突起部の径方向一方側端部との間に隙間が形成されてもよい。
【００１３】
この場合、開閉蓋部の閉状態において、開閉蓋部の径方向他方側端部と係合突起部の径方向一方側端部との間に隙間が形成されるので、開閉蓋部を閉状態に容易に配置することができる。また、開閉蓋部を閉状態から開状態に容易に回動させることができる。
【発明の効果】
【００１４】
本発明によれば、従来よりも少ない部分点数で揮散量の調整を可能とする揮散用容器を提供することができる。
【図面の簡単な説明】
【００１５】
【図１】図１（ａ）は、第１実施形態に係る揮散用容器の平面図であり、図１（ｂ）は、第１実施形態に係る揮散用容器の正面図である。
【図２】キャップ本体部の斜視図である。
【図３】開閉蓋部が開状態にあるときのキャップ本体部の斜視図である。
【図４】開閉蓋部が開状態にあるときのキャップ本体部の半裁断面図である。
【図５】図３におけるＡ矢視部分を拡大して示す斜視図であり、図５（ａ）は、開閉蓋部が開状態にあるときに係合突起部と側板部の外縁とが接触している状態を示し、図５（ｂ）は、開閉蓋部が閉状態にあるときを示す。
【発明を実施するための形態】
【００１６】
以下、図面を参照しながら、本発明の実施形態に係る揮散用容器について説明する。本実施形態では、芳香剤、消臭剤等の揮発性成分を含んだ揮散液を揮散させるための揮散用容器について説明する。
【００１７】
図面においては、揮散用容器の中心軸を容器軸Ａと記述し、容器軸Ａに平行な方向を単に「軸方向」と記述し、容器軸Ａを中心とする径方向を単に「径方向」と記述する。また、図１（ｂ）に示すように、容器軸Ａ方向のうち、容器本体部に対してキャップ本体部が位置する方向を「上側」と記述し、その逆側を「下側」と記述する。また、図１（ａ）に示すように、径方向のうち容器軸Ａに対して開閉蓋部のヒンジ部側を「後側」と記述し、その逆側を「前側」と記述する。さらに、径方向のうち容器軸Ａに対して開閉蓋部の幅方向一方側（図１（ａ）紙面の左側）を「左側」と記述し、その逆側を「右側」と記述する。
【００１８】
＜全体構成＞
本実施形態の揮散用容器１は、図１（ａ）、図１（ｂ）、図４に示すように、容器本体部１０と、キャップ本体部４０と、を有する。容器本体部１０は、上部に開口部１５ａを有する口部１５を備えて有底筒状であり、開口部１５ａ内を通って底部側へ延びて内部に収容される揮散液を吸い上げ可能な吸い上げ芯２０を有する。キャップ本体部４０は、容器本体部１０の上部に装着され、吸い上げ芯２０によって吸い上げられた揮散液を揮散させる揮散板６０を収容する。以下、構成部材毎に詳細に説明する。
【００１９】
＜容器本体部１０＞
容器本体部１０は、図１（ｂ）及び図４に示すように、有底角筒状の胴部１１と、胴部１１の上端に繋がって容器軸Ａ側へ向かって斜め上方へ延びる肩部１３と、肩部１３の上端に繋がる円筒状の口部１５と、口部１５に装着されたキャップ１７と、を有する。本実施形態では、胴部１１は、合成樹脂材料製であり、正面視において縦長の長方形状の側壁１１ａを有して直方体状に形成される。正面側の側壁１１ａの幅は、側面側の側壁１１ｂの幅よりも大きい。
【００２０】
（キャップ１７）
キャップ１７は、図４に示すように、有頂筒状に形成され、口部１５の外面に形成された雄ねじ部１５ｂに螺合可能である。本実施形態では、キャップ１７は、合成樹脂材料製であり、筒状の周壁部１７ａと、周壁部１７ａの上部を覆う頂板部１７ｂとを有してなる。周壁部１７ａの内面には、口部１５の雄ねじ部１５ｂに螺合可能な雌ネジ部１７ｃが形成される。
【００２１】
頂板部１７ｂの径方向内側には、有頂筒状の突出部１８が形成される。突出部１８の天板１８ａの内面には、吸い上げ芯２０の上端部が接触する。突出部１８の周壁１８ｂの下部には、キャップ１７の頂板部１７ｂよりも下方へ延びる筒状のシール筒１８ｃが形成される。シール筒１８ｃの外面と口部１５の内面との間には、補助部材２２が密着して嵌合する。
【００２２】
補助部材２２は、平面視において円環状に形成されたシール頂部２４の内面から下方へ延びて容器本体部１０の口部１５をシールするシール筒部２５と、シール筒部２５よりも径方向内側に配置されて上下方向に延びる短筒２３と、を有して形成される。シール筒部２５の外面は口部１５の内面に密着して嵌合される。短筒２３内には、吸い上げ芯２０が装着される。吸い上げ芯２０は、容器本体部１０内の揮散液を含浸して吸上げ、揮散板６０に含浸させる。吸い上げ芯２０は、例えば、天然紙，合成紙等の紙類、繊維束、フェルト，合成樹脂発泡体を含む多孔質材等で形成される。吸い上げ芯２０は、補助部材２２よりも上方へ突出して補助部材２２の短筒２３内に固定される。吸い上げ芯２０の下側は容器本体部１０内の底部まで延びる。
【００２３】
なお、揮散液を揮散させる場合には、キャップ１７を容器本体部１０から取り外して、吸い上げ芯２０の上端部を揮散板６０に接触させる。
【００２４】
＜キャップ本体部４０＞
次に、キャップ本体部４０について説明する。キャップ本体部４０は、図２及び図３に示すように、有頂筒状であって、容器本体部１０に装着される筒状の周壁部４１と、周壁部４１の上端部を覆う天壁部４５と、を有する。本実施形態では、周壁部４１は、平面視において長方形状をした角筒状であり、容器本体部１０の平面視形状と同一形状である。
【００２５】
（周壁部４１）
周壁部４１は、周方向に４つの周壁４２，４３を有してなる。前側及び後側の周壁４２は同一形状である。また、左右両側の周壁４３は同一形状である。前側及び後側の周壁４２の幅は、左右両側の周壁４３の幅よりも大きい。キャップ本体部４０は、容器本体部１０に着脱可能に装着される。本実施形態では、キャップ本体部４０の周壁部４１の下側の内面が容器本体部１０の上部（肩部１３）の外面に篏合されて、キャップ本体部４０が容器本体部１０に着脱可能に装着される。このため、容器本体部１０の口部１５にキャップ１７が装着されている場合には、キャップ１７を取り外してから容器本体部１０にキャップ本体部４０を装着することができる。
【００２６】
周壁部４１のうち、前側及び後側の周壁４２と、天壁部４５に設けられた開閉蓋部４６には、複数の揮散孔部４４が設けられる。揮散孔部４４は、揮散液の気化ガスを通すための孔である。本実施形態では、揮散孔部４４は、上下方向に延びた長孔状に形成される。揮散孔部４４は、上下及び左右方向に所定間隔を有して配置される。なお、揮散孔部４４は、前側及び後側の周壁４２のいずれかに設けられてもよいし、また左右両側の周壁４３の少なくとも一方に設けられてもよい。開閉蓋部４６の詳細については後述する。
【００２７】
周壁部４１の上部の内面には、図４に示すように、内側へ突出するフランジ部４２ａが形成される。フランジ部４２ａは、前側及び後側の周壁４２の夫々の内面のうち開閉蓋部４６の左右両側端よりも内側から径方向内側に突出する。前後夫々の周壁４２から突出するフランジ部４２ａの突出方向先端部間には、平面視において左右方向に長方形状に延びる開口４２ｂが形成される。開口４２ｂは、平面視において、開口４２ｂの領域内にキャップ１７が収まるような大きさを有する。フランジ部４２ａ上に揮散板６０が載置される。
【００２８】
揮散板６０は、吸い上げ芯２０から吸い上げられた揮散液を含浸して揮散させる。揮散板６０は、例えば、天然紙，合成紙等の紙類、繊維束、フェルト，合成樹脂発泡体を含む多孔質材等で形成される。
【００２９】
（天壁部４５）
天壁部４５は、図２及び図３に示すように、平面視において、左右方向に延びる長方形状に形成される。天壁部４５には、揮散窓４９が形成される。本実施形態では、揮散窓４９は、天壁部４５の内側に形成されて天壁部４５の外周に沿った長方形状である。このため、揮散窓４９の外側には、揮散窓４９を囲むように天壁部４５の周縁部４５ａが形成される。この周縁部４５ａに後述する係合突起部５２が形成される。
【００３０】
（開閉蓋部４６）
揮散窓４９には、図２、図３、図４に示すように、揮散窓４９を開閉可能な開閉蓋部４６が設けられる。開閉蓋部４６は、後側にヒンジ部５０を介して天壁部４５に繋がって、ヒンジ部５０を支点として前側が上下方向に回動可能である。
【００３１】
本実施形態では、開閉蓋部４６は、平面視において長方形状であり、揮散窓４９よりも僅かに小さい相似形状である。開閉蓋部４６の後端部は、左右方向に延びるヒンジ部５０を介して天壁部４５に繋がる。ヒンジ部５０は、天壁部４５の内面に凹部を形成して天壁部４５の外面側を薄肉に形成してなる。ヒンジ部５０の上部は、天壁部４５の外面と同一平面上に位置する。また、ヒンジ部５０は、後述する係合突起部５２の上面に沿った仮想面Ｖｓ上に位置する。
【００３２】
開閉蓋部４６には、前後方向に延びる揮散孔部４４が複数設けられる。本実施形態では、揮散孔部４４は、前後方向及び左右方向に所定間隔を有して配置される。開閉蓋部４６の前側の左右方向中央部には、前側から後側に向かって切り欠かれた操作孔部４７が形成される。
【００３３】
（係合突起部５２）
図５（ａ）は、開閉蓋部４６が開状態にあるときに係合突起部５２と側板部４８の外縁４８ａとが接触している状態を示す。図５（ｂ）は、開閉蓋部４６が閉状態にあるときを示す。天壁部４５には、図３、図５（ａ）、図５（ｂ）に示すように、開閉蓋部４６を係止可能な係合突起部５２が設けられる。係合突起部５２は、開閉蓋部４６の左右両側に設けられた側板部４８の外縁４８ａが揮散窓４９の内面に対向する位置よりも側板部４８の厚さ方向（左右方向）両外側の位置から、天壁部４５の周縁部４５ａに対して前側へ延びる一対のスリット５１間に形成される。
【００３４】
本実施形態では、スリット５１は、平面視において長方形状に延びて天壁部４５の周縁部４５ａを上下方向に貫通する。このため、一対のスリット５１間には、前側端部が天壁部４５に繋がって後側へ延びる片持ち支持された係合突起部５２が形成される。天壁部４５は合成樹脂材料製であるので、係合突起部５２は弾性変形可能である。このため、係合突起部５２に上下方向に向く外力が作用すると、係合突起部５２は前側端部を支点として後側を上下方向に弾性変形させることができる。この係合突起部５２に後述する係止段部５４が接触可能である。
【００３５】
（ストッパー部５６）
開閉蓋部４６は、図３、図４に示すように、開閉蓋部４６の開状態を維持するストッパー部５６を有する。ストッパー部５６は、開閉蓋部４６の下面から下方へ延びるとともに、側面視において径方向他方側（前側）が円弧状の扇形に形成された側板部４８と、扇形の側板部４８の円弧状の外縁４８ａに形成されて周方向に間隔を有して配置される複数の係止段部５４と、を有する。
【００３６】
本実施形態では、ストッパー部５６は、開閉蓋部４６の左右両側に設けられる。側板部４８は、容器本体部１０の口部１５よりも左右方向外側に配置される。このため、開閉蓋部４６の開閉時に側板部４８が口部１５に接触する虞を防止すことができる。
【００３７】
側板部４８は、図４に示すように、ヒンジ部５０を中心として半径Ｒの円弧状の外縁４８ａを有した扇形に形成される。本実施形態では、側板部４８は、開閉蓋部４６の上面から下面側へ約９０度の開き角度θを有して扇形に形成される。半径Ｒの大きさは、係止段部５４が天壁部４５に形成された係合突起部５２上に接触可能な大きさである。なお、側板部４８の開き角度θは９０度に限るものではなく、９０度よりも小さい鋭角でもよい。
【００３８】
（係止段部５４）
係止段部５４は、図４に示すように、側板部４８の外縁４８ａに周方向に等間隔を有して３つ設けられる。なお、係止段部５４の数は、３つに限るものではない。係止段部５４は、外縁４８ａからヒンジ部５０側へ向かって平面状に延びる。係止段部５４は、側面視においてヒンジ部５０を通って半径方向に延びる仮想線ＶＬに沿う。このため、開閉蓋部４６を揮散窓４９側へ回動させて開閉蓋部４６を開状態にすると、係止段部５４を係合突起部５２の上面に面接触させることができる。よって、係止段部５４を係合突起部５２に容易に係止させることができる。なお、本実施形態では、３つの係止段部５４の半径方向先端部は、ヒンジ部５０を中心として半径Ｒの円弧状の仮想線ＶＬ１上に位置している。
【００３９】
また、図１（ａ）に示すように、開閉蓋部４６が揮散窓４９を塞ぐ閉状態において、開閉蓋部４６の前側端部４６ａと係合突起部５２の後側端部５２ａとの間には、隙間５８が形成される。このため、開閉蓋部４６を閉状態の位置に容易に配置することができ、また、開閉蓋部４６を閉状態から開状態に容易に回動させることができる。
【００４０】
また、係止段部５４の半径方向先端部は、係合突起部５２の上面の後側端部と前側端部との間に接触可能である。このため、係止段部５４は、係合突起部５２の上面上に広い範囲で接触でき、接触幅を確保することができる。
【００４１】
係止段部５４が係合突起部５２の上面に接触すると、図４に示すように、係合突起部５２の後側端部と側板部４８の外縁４８ａとの間には、隙間５７が形成される。このため、係止段部５４が係合突起部５２の上面に接触する際に、係合突起部５２の後側端部が側板部４８の外縁４８ａに接触する虞を防止することができる。
【００４２】
（直線部５５）
側板部４８の外縁４８ａのうち周方向に隣接する係止段部５４間には、図４に示すように、側面視において係止段部５４の半径方向先端部と、この係止段部５４よりも上方に配置された係止段部５４の半径方向後端部と、の間を直線状に繋ぐ直線部５５が形成される。このため、直線部５５は、下側から上方へ進むに従って仮想線ＶＬ１と直線部５５との間の間隔が暫時大きくなる。従って、ヒンジ部５０を支点として開閉蓋部４６が回動した場合、係合突起部５２の後側端部が直線部５５と常に接触する虞が無くなり、開閉蓋部４６の開閉操作を容易に行うことができる。なお、直線部５５は、側面視において、ヒンジ部５０側へ凹んだ凹状に形成されてもよい。
【００４３】
キャップ本体部４０は、周壁部４１と天壁部４５とを有して構成されるが、周壁部４１及び天壁部４５は、一体に成形される。本実施形態では、キャップ本体部４０は、一体成形品である。
【００４４】
＜揮散用容器１の作用及び効果＞
次に、揮散用容器１の作用及び効果について、図２から図５を参照しながら説明する。
【００４５】
（開閉蓋部４６を閉状態から開く場合）
図２に示すように、閉状態の開閉蓋部４６の操作孔部４７内に作業者の指を挿入して開閉蓋部４６の前側を上方へ引き上げると、図３及び図４に示すように、開閉蓋部４６はヒンジ部５０を支点として開閉蓋部４６の前側が上方へ回動する。
【００４６】
ここで、図５（ｂ）に示すように、開閉蓋部４６が閉状態であるときには、側板部４８の直線部５５が係合突起部５２の後側先端部に対向している。この状態から開閉蓋部４６を上方へ回動させると、係合突起部５２の後側端部は、側板部４８の直線部５５を介して上方へ向く力を受けて、係合突起部５２は弾性変形して上方へ撓む。そして、係合突起部５２が直線部５５の下側端部を乗り越えると、係合突起部５２の変形が元に戻り、係合突起部５２の上面に係止段部５４が接触して、係止段部５４が係合突起部５２に係止される。よって、揮散窓４９を開口させた状態で開閉蓋部４６を開状態で維持することができる。
【００４７】
（開閉蓋部４６を開状態から閉じる場合）
図３及び図４に示すように、開状態にある開閉蓋部４６に作業者の指を押し当てて開閉蓋部４６の前側を下方へ押すと、開閉蓋部４６はヒンジ部５０を支点として開閉蓋部４６の前側が下方へ回動する。
【００４８】
ここで、開閉蓋部４６が開状態であるときには、係合突起部５２の上面上に係止段部５４が接触している。この状態から開閉蓋部４６を下方へ回動させると、係止段部５４が係合突起部５２の上面を下方に向く力を押圧して、図５（ａ）に示すように、係合突起部５２が弾性変形して下方へ撓む。そして、係合突起部５２の後側端部が直線部５５の上方側へ進むに従って、係合突起部５２の変形が徐々に小さくなる。そして、係合突起部５２の後側端部が直線部５５の上部側へ移動すると、係合突起部５２の変形が元に戻る。以下、同様にして、係合突起部５２が残りの係止段部５４を乗り越えて、開閉蓋部４６は揮散窓４９を閉じた閉状態になる。
【００４９】
このように、開閉蓋部４６は、揮散窓４９を閉じた閉状態から上方へ回動すると、開閉蓋部４６はヒンジ部５０を支点として上方へ回動して、揮散窓４９を開口させることができる。また、係止段部５４が係合突起部５２に係止されると、開閉蓋部４６を開状態に維持することができる。さらに、係止段部５４は、外縁４８ａに周方向に間隔を有して複数配置されているので、複数の係止段部５４のいずれかが係合突起部５２に係止されると、揮散窓４９の開口面積を変えた状態で揮散窓４９を開状態に維持することができる。このため、キャップ本体部４０は、開閉角度を変えて揮散窓４９の開口面積を多段階に調整することができる。
【００５０】
（開閉蓋部４６の効果）
キャップ本体部４０は、有頂筒状であって、容器本体部１０に装着される筒状の周壁部４１と、周壁部４１の上端部を覆う天壁部４５と、を有して一体に成形される。このため、キャップ本体部４０は、周壁部４１と天壁部４５とが別部品で構成される場合と比較して、部品点数を少なくすることができる。よって、少ない部品点数で揮散量の調整が可能な揮散用容器１を実現できる。また、開閉蓋部４６を開状態にすることで、揮散窓４９が開口して、キャップ本体部４０の内側に溜まっている気化状態の揮散液を外部に容易に揮散させることが可能になり、揮散液の揮散量を増大させることができる。
【００５１】
前述した実施形態では、開閉蓋部４６に２つの側板部４８を設けた場合を示したが、これに限るものではない。側板部４８は、開閉蓋部４６の左右方向の一方側端部のみに設けられてもよい。
【産業上の利用可能性】
【００５２】
本発明の揮散用容器は、芳香剤、消臭剤等の揮発性成分を含んだ揮散液を揮散させる揮散用容器の分野で幅広い展開が期待される。
【符号の説明】
【００５３】
１  揮散用容器
１０  容器本体部
１１  胴部
１１ａ。１１ｂ  側壁
１３  肩部
１５  口部
１５ａ  開口部
１５ｂ  雄ねじ部
１７  キャップ
１７ａ、４１  周壁部
１７ｂ  頂板部
１７ｃ  雌ねじ部
１８  突出部
１８ａ  天板
１８ｂ、４２，４３  周壁
１８ｃ  シール筒
２０  吸い上げ芯
２２  補助部材
２３  短筒
２４  シール頂部
２５  シール筒部
４０  キャップ本体部
４２ａ  フランジ部
４２ｂ  開口
４４  揮散孔部
４５  天壁部
４５ａ  周縁部
４６  開閉蓋部
４６ａ  前側端部
４７  操作孔部
４８  側板部
４８ａ  外縁
４９  揮散窓
５０  ヒンジ部
５１  スリット
５２  係合突起部
５４  係止段部
５５  直線部
５６  ストッパー部
５７、５８  隙間
６０  揮散版
Ａ  容器軸
ＶＬ、ＶＬ１  仮想線
ＶＳ  仮想面
【図１】
2020179904.tif 000003
【図２】
2020179904.tif 000004
【図３】
2020179904.tif 000005
【図４】
2020179904.tif 000006
【図５】
2020179904.tif 000007